(57)【要約】左右方向に延び、かつ、前後方向に互いに対向する少なくとも前後一対の針床を有し、前後の針床の少なくとも一方が左右にラッキング可能で、前後の針床間で編目の目移しが可能な横編機を用いる手袋の編成方法であって、小指、薬指、中指、人差指が挿入される四本胴の編成を行い、四本胴と親指の指袋を接合する前に、編針に係止されている四本胴の編目を、空針への目移しと針床のラッキング動作により、四本胴を親指の指袋の編目が係止される編針に向って回すように回し動作を行った後、四本胴と親指の指袋の接合を行う。
2004020719.tif 000002
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いる手袋の編成方法であって、
小指、薬指、中指、人差指が挿入される四本胴の編成を行い、四本胴と親指の指袋を接合する前に、編針に係止されている四本胴の編目を、空針への目移しと針床のラッキング動作により、四本胴を親指の指袋の編目が係止される編針に向って回すように回し動作を行った後、四本胴と親指の指袋の接合を行うようにしていることを特徴とする手袋の編成方法。
【請求項２】
四本胴と親指の指袋を接合する前に、編針に係止されている親指の指袋の編目を、空針への目移しと針床のラッキング動作により、１／４周以下の範囲内で回し動作をした後、四本胴と親指の指袋の接合を行うことを特徴とする請求の範囲１に記載の手袋の編成方法。
【請求項３】
左右方向に延び、かつ、前後方向に互いに対向する少なくとも前後一対の針床を有し、前後の針床の少なくとも一方が左右にラッキング可能で、前後の針床間で編目の目移しが可能な横編機を用いる手袋の編成方法であって、
小指、薬指、中指、人差指が挿入される四本胴の編成を行い、四本胴と親指の指袋を接合する前に、四本胴における掌側で人差指側端部から所定の目数の複数の編目に親指の指袋の編目の一部を重ね合わし、重ね合わされた編目を伏せ目処理した後、五本胴を編成するようにしていることを特徴とする手袋の編成方法。
【請求項４】
四本胴の編目の一部に親指の指袋の編目の一部を重ね合わす前に、編針に係止されている親指の指袋の編目を、空針への目移しと針床のラッキング動作により、１／４周以下の範囲内で回し動作をした後、四本胴と親指の指袋の一部を重ね合わして伏せ目処理を行うことを特徴とする請求の範囲３に記載の手袋の編成方法。
【請求項５】
左右方向に延び、かつ、前後方向に互いに対向する少なくとも前後一対の針床を有し、前後の針床の少なくとも一方が左右にラッキング可能で、前後の針床間で編目の目移しが可能な横編機を用いる手袋の編成方法であって、
小指、薬指、中指、人差指が挿入される四本胴と親指の指袋の編成を行い、四本胴と親指の指袋の接合を行った後、五本胴における掌側の編地の編幅を減らしながら、五本胴を編成することを特徴とする手袋の編成方法。
【請求項６】
五本胴における四本胴の編目とウェール方向に連続する編目を、掌側の親指側端部から、五本胴における親指の指袋を形成する編目とウェール方向に連続する編目に、所定コース毎に重ね合わせながら五本胴を編成していることを特徴とする請求の範囲５に記載の手袋の編成方法。
【請求項７】
四本胴と親指の指袋を接合する前に、四本胴の親指側において編目を増やすことにより編幅を増やす編成を行うようにしていることを特徴とする請求の範囲１から６の何れかに記載の手袋の編成方法。
【請求項８】
四本胴と親指の指袋が接合された後に、五本胴の編幅を減らす編成を行うようにしていることを特徴とする請求の範囲７に記載の手袋の編成方法。
【請求項９】
五本胴における親指の指袋を形成する編目とウェール方向に連続する編目と、五本胴における四本胴の編目とウェール方向に連続する編目とを所定コース毎に重ね合わせながら五本胴を編成していることを特徴とする請求の範囲８に記載の手袋の編成方法。
【請求項１０】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成された手袋であって、
小指、薬指、中指、人差指が挿入される四本胴と親指の指袋を備え、
四本胴における親指の指袋が接合される位置が、四本胴の掌側で人差指側端部から掌中心の間に位置するように、四本胴と親指の指袋との接合が行なわれて編成されていることを特徴とする手袋。
【請求項１１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成された手袋であって、
小指、薬指、中指、人差指が挿入される四本胴と親指の指袋とを備え、四本胴における掌側で人差指側端部から所定の目数の複数の編目に親指の指袋の編目の一部が重ね合わされて伏せ目処理がなされていることを特徴とする手袋。
【請求項１２】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成された手袋であって、
小指、薬指、中指、人差指が挿入される四本胴と親指の指袋を備え、五本胴における掌側の編地の編幅が減らされて五本胴が形成されていることを特徴とする手袋。
【発明の詳細な説明】
【技術分野】  本発明は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成される手袋およびその編成方法に関するものである。
【背景技術】  一般に作業用手袋など指袋と四本胴と五本胴とが連続して編成された手袋は、専用の手袋編機で編成され、その殆どが左右兼用のタイプである。
従来の左右兼用タイプの手袋は、通常は、図１０に示すように、小指１、薬指２、中指３、人差指４、親指５の指袋および５本胴の編成部が手の甲側または掌側において同一平面になるように編成されている。
具体的には、手袋はまず小指１の指袋から編み始め、薬指２、中指３、人差指４の順に各指袋が編まれた後、小指１から人差指４までを一つの筒状体として四本胴を編成する。
そして、四本胴の編成の後、親指５の編成が行われた後、親指５と先に編まれた四本胴を一つにして五本胴が編成され、手首部の編成が行われて終了する。
また、指袋を編成する際、例えば、手袋専用の手袋編機を用いて手袋を編成する場合には、通常は、カミソリと呼ばれる抑止杆を用い、このカミソリにより先に編成された指袋の編目のうち、次に編成する指袋に近い側の２〜３目を抑えて編針に係止させた状態にし、この編目が係止された編針を次の指袋の編成にも使用して次の指袋の編成を行う。
この動作が小指１から人差指４までの各指股部で行われるようにカミソリの位置をその都度移動させていく。
そして、親指５を除く全ての指袋の編成が行われた後に、不作用状態にしていた編目を作用状態にし、指股部で編目が重ね合わされた状態で編糸を周回させて四本胴の編成を行う。このような指股部の編成は四本胴と親指５との間でも行われる。
ところで、従来の手袋の編成は、前記したように、小指１、薬指２、中指３、人差指４、親指５の指袋および５本胴の編成部が手の甲側または掌側において同一平面になるように編成されている。
しかしながら、実際の人の手の掌は、掌全体に対して親指付け根部分が掌側に飛び出していて、親指が他の指よりも前に位置している。そのため、親指の指先の向き及び爪の向きが、小指、薬指、中指、人差指の指先の向き及び爪の向きと異なる。
したがって、上記のように平面的に編成された手袋では、手袋着用の際に手の甲の親指付け根部分において圧迫感を生じたりして、手袋が手にフィットし難く、手の甲側の編目が広がって外観が悪くなるという不具合がある。
さらに、手袋を着用したときに、親指の腹部分に親指５の指袋の先端部に形成される指先カーブラインＸの両端こぶ部分Ｙが当たり、装着時に違和感が生じ、作業性が悪くなる不具合がある。
【発明の開示】
本発明は、手袋着用時の圧迫感を軽減できるようにするため、実際の手の形状に合った三次元的な形状を有する手袋およびその編成方法を提供することを目的とする。さらに、本発明は、手袋装着時の親指での違和感を無くして作業性を向上できる手袋およびこれを得るための編成方法を提供することも目的とする。
本発明に記載の手袋の編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いる手袋の編成方法であって、小指、薬指、中指、人差指が挿入される四本胴の編成を行い、四本胴と親指の指袋を接合する前に、編針に係止されている四本胴の編目を、空針への目移しと針床のラッキング動作により、四本胴を親指の指袋の編目が係止される編針に向って回すように回し動作を行った後、四本胴と親指の指袋の接合を行う。
この方法によれば、四本胴に対する親指の指袋の接合箇所を実際の人の手の形状に合う位置にすることができ、手袋全体を三次元的な形状とすることができるので、手袋着用の際に手の甲の親指付け根部分において生じていた圧迫感を軽減することができ、手袋が手にフィットし易くなる。
なお、四本胴の回し動作は、四本胴と親指の指袋を接合する前の状態から１／１０周、すなわち、四本胴を親指の指袋の編目が係止される編針に向って１／１０周回すことがより好ましい。
また、本発明は、上記の手袋の編成方法において、四本胴と親指の指袋を接合する前に、編針に係止されている親指の指袋の編目を、空針への目移しと針床のラッキング動作により、１／４周以下の範囲内で回し動作をした後、四本胴と親指の指袋の接合を行う。
この方法によれば、親指の指袋の回し動作により、人の親指の腹部分に、親指の指袋の先端部に形成される指先カーブラインの両端こぶ部分が当たらないようにすることができ、手袋装着時の違和感が無くなって作業性を向上できる。
なお、親指の回し動作は、四本胴と親指の指袋を接合する前の状態から、親指における四本胴から最も離れた編目が掌側に回り込む方向に３／２０周から１／４周の範囲内で回すことが好ましい。
また本発明に記載の手袋の編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いる手袋の編成方法であって、小指、薬指、中指、人差指が挿入される四本胴の編成を行い、四本胴と親指の指袋を接合する前に、四本胴における掌側で人差指側端部から所定の目数の複数の編目に親指の指袋の編目の一部を重ね合わし、重ね合わされた編目を伏せ目処理した後、五本胴を編成する。
この方法によれば、四本胴に対する親指の指袋の接合箇所を実際の人の手の形状に合う位置にすることができ、手袋全体を三次元的な形状とすることができるので、手袋着用の際に手の甲の親指付け根部分において生じていた圧迫感を軽減することができ、手袋が手にフィットし易くなる。
さらに、四本胴の編目の一部に親指の指袋の編目の一部を重ね合わす前に、編針に係止されている親指の指袋の編目を、空針への目移しと針床のラッキング動作により、１／４周以下の範囲内で回し動作をした後、四本胴と親指の指袋の一部を重ね合わして伏せ目処理を行う。
この方法によれば、親指の指袋の回し動作により、人の親指の腹部分に、親指の指袋の先端部に形成される指先カーブラインの両端こぶ部分が当たらないようにすることができ、手袋装着時の違和感が無くなって作業性を向上できる。
なお、この方法においても、親指の回し動作は、四本胴と親指の指袋を接合する前の状態から、親指における四本胴から最も離れた編目が掌側に回り込む方向に３／２０周から１／４周の範囲内で回すことが好ましい。
また本発明の手袋の編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いる手袋の編成方法であって、小指、薬指、中指、人差指が挿入される四本胴と親指の指袋の編成を行い、四本胴と親指の指袋の接合を行った後、五本胴における掌側の編地の編幅を減らしながら五本胴を編成する。
この方法によれば、五本胴における掌側の編地の編幅を減らす編成だけで、手袋の形状を、四本胴の掌面から親指の指袋が突出された実際の人の手の形状に合う三次元的な形状とすることができるので、手袋着用の際に手の甲の親指付け根部分において生じていた圧迫感を軽減することができ、手袋が手にフィットし易くなる。
さらに、五本胴における四本胴の編目とウェール方向に連続する編目を、掌側の親指側端部から、五本胴における親指の指袋を形成する編目とウェール方向に連続する編目に、所定コース毎に重ね合わせながら五本胴を編成する。
この方法によれば、掌の内側に減らし目の線が現れても、掌の親指付け根部分に形成される谷間の線に沿った状態にできるので、外観を良好にできる。
また上記何れかに記載の手袋の編成方法において、四本胴と親指の指袋を接合する前に、四本胴の親指側において編目を増やすことにより編幅を増やす編成を行う。
この方法によれば、手袋の四本胴の幅方向寸法を広くでき、手袋着用の際に手の甲の親指付け根部分における圧迫感をさらに良好に軽減できるし、編目が広がって外観が悪くなるという不具合もより軽減できる。
さらに、四本胴と親指の指袋が接合された後に、５本胴の編幅を減らす編成を行う。
この方法によれば、人の手の形により即した形状とすることができるし、四本胴の編幅を増やしていても手首部分の弛みが生じない。
さらに、五本胴における親指の指袋を形成する編目とウェール方向に連続する編目と、五本胴における四本胴の編目とウェール方向に連続する編目とを所定コース毎に重ね合わせながら五本胴を編成する。
この方法によれば、掌の内側に減らし目の線が現れても、掌の親指付け根部分に形成される谷間の線に沿った状態にできるので、外観を良好にできる。
また、本発明の手袋は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成された手袋であって、小指、薬指、中指、人差指が挿入される四本胴と親指の指袋を備え、四本胴における親指の指袋が接合される位置が、四本胴の掌側で人差指側端部から掌中心の間に位置するように、四本胴と親指の指袋との接合が行なわれて編成されている構成とした。
また、本発明の手袋は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成された手袋であって、小指、薬指、中指、人差指が挿入される四本胴と親指の指袋とを備え、四本胴における掌側で人差指側端部から所定の目数の複数の編目に親指の指袋の編目の一部が重ね合わされて伏せ目処理がなされている構成とした。
また、本発明の手袋は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて編成された手袋であって、小指、薬指、中指、人差指が挿入される四本胴と親指の指袋を備え、五本胴における掌側の編地の編幅が減らされて五本胴が形成される構成とした。
上記のいずれの手袋において、手袋の四本胴に対する親指の指袋の接合箇所が実際の人の手の形状に合う位置となり、手袋全体を三次元的な形状とすることができるので、手袋着用の際に手の甲の親指付け根部分において生じていた圧迫感を軽減することができ、手袋が手にフィットし易くなる。
【図面の簡単な説明】  図１は本発明にかかる手袋の第１実施形態であって、掌側から見た親指を開いた状態を示す図である。図２は本発明にかかる手袋の第１実施形態であって、掌側から見た親指を掌側に折り曲げた状態を示す図である。図３は第１実施形態の手袋を編成するための編成手順を示す編成工程図である。図４は第１実施形態の手袋を編成するための編成手順を示す編成工程図である。図５は本発明にかかる手袋の第２実施形態であって、掌側から見た親指を開いた状態を示す図である。図６は第２実施形態の手袋を編成するための編成手順を示す編成工程図である。図７は本発明にかかる手袋の第３実施形態であって、掌側から見た状態を示す図である。図８は第３実施形態の手袋を編成するための編成手順を示す編成工程図である。図９は第３実施形態の手袋を編成するための編成手順を示す編成工程図である。図１０は従来の手袋の平面図である。
【発明を実施するための最良の形態】  以下、本発明にかかる手袋およびその編成方法についての実施形態を図面に基づいて説明する。
本実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いて手袋を編成する。
２枚ベッドの横編機は、筒状の手袋を編成する場合、前後の各針床（ベッド）においてそれぞれ１本おきの針を用いて編成を行うようにしており、例えば、前針床の奇数番目の針を主として手袋の掌側部分の編地を編成するために用い、後針床の偶数番目の針を主として手袋の甲側部分を編成するために用いる。
さらに、前後の針床は、一方の針床の編成用に用いられる針に対向する他方の針床の針を空針としており、この空針を目移しやリブ編み等を行うために用いるようになっている。
これら空針を用いることにより、リンクス、ガーター、リブなどの表目と裏目が混在した組織柄を編成したり、編目をコース方向に移動させて互いに接合することができるようになっている。
また、２枚ベッドの横編機を用いる場合、前後針床の一方または両方の上位にトランスファージャックを列設したトランスファージャックベッドを設けて編地を編成するようにしてもよい。
なお、本実施形態では、２枚ベッドの横編機を用いて手袋を編成するようにしているが、本発明は、上部前針床、下部前針床、上部後針床、そして下部後針床からなる４枚ベッドの横編機を用いて編成することもできる。
４枚ベッドの横編機を用いる場合には、例えば、下部前針床と上部後針床で前側編地を編成し、下部後針床と上部前針床で後側編地を編成し、前側編地を編成する際には、後側編地のループを全て下部後針床の針に係止させ、後側編地を編成する際には、前側編地のループを全て下部前針床の針に係止させて編成を行う。
本実施形態は、上記２枚ベッドの横編機を用いて、小指、薬指、中指、人差指、親指の指袋と、小指、薬指、中指、人差指が接合される４本胴と、４本胴及び親指の指袋が接合される５本胴とが継ぎ目の無い連続した筒状となるようにシームレスに編成される。
本実施形態は、小指、薬指、中指、人差指が挿入される四本胴と親指の指袋の接合にあたり、四本胴に対する親指の指袋の接合箇所を実際の人の手の形状に合う位置にして、手袋全体を三次元的な形状とすることを特徴とするものである。
本発明の第１実施形態について、図に基づいて説明する。図１および図２は、本発明の編成方法で編成された手袋を示している。図３および図４は第１実施形態の手袋を編成するための編成手順を示す編成工程図である。なお、本実施形態では、ループの形成に使用する針間に目移し用の空針を配置した針抜き編成を行うが、図３、図４、そして、後記する第３実施形態の図８、図９においては、ループの形成に使用する針のみを示し、ループの形成に使用する針間に配置され目移しに用いられる針を省略して示している。
第１実施形態は、７ゲージ、Ｍサイズの手袋の例を示しており、小指１は各ベッド（針床）９針（前後ベッド合わせて１８針）を使って指袋が編まれ、薬指２は前ベッド９針、後ベッド１０針（前後ベッド合わせて１９針）、中指３は各ベッド１０針（前後ベッド合わせて２０針）、人差指４は前ベッド１１針、後ベッド１０針（前後ベッド合わせて２１針）、そして親指５は各ベッド１１針（前後ベッド合わせて２２針）が使用される。
なお、前ベッド（ＦＢ）では奇数番目の針を、ループを形成するために用い、後ベッド（ＢＢ）の偶数番目の針を、ループを形成するために用いている。
まず、小指１、薬指２、中指３、人差指４の指袋を編成する。各指袋の編地は、掌側となる前側編地を前ベッド（ＦＢ）の編針で編成し、甲側となる後側編地を後ベッド（ＢＢ）の編針で編成している。そして、各指袋の編成が終了すると図３に示すステップ１の状態となる。小指１、薬指２、中指３、人差指４のそれぞれの前側編地および後側編地は、隣り合う編地の端部が、図３に示すように１針分空くように編針に係止されている。
そして、ステップ２に示すように、薬指２、中指３、人差指４の指袋の指股の編成を行う。指股の編成は、後ベッドにおける後側編地間の空いている針（偶数針）と、前ベッドにおける前側編地間の空いている針（奇数針）に増し目をしながら、人差指４、中指３、薬指２の順に後側編地を１コース連続編成することによりマチを有する人差指４と中指３の間の指股Ａ、中指３と薬指２の間の指股Ｂが編成される。
この状態から、人差指４、中指３、薬指２が連結された１つの筒状となるように１コース１周させて編成すると、ステップ３に示す三本胴６が編成され始める。ステップ３の状態では、三本胴６は、前後各ベッドの針にそれぞれ３２目ずつ係合された状態となっている。
ステップ３の三本胴６の編成により、人差指４、中指３、薬指２の指袋が三本胴６に接合された状態となる。
そして、三本胴６の編成は、ステップ３〜４の間に、人差指４の編目と中指３の編目をそれぞれ薬指２側に移動させながら、人差指４と中指３の境界で４目減らし、中指３と薬指２の境界で４目減らしていき、前後各ベッドの針にそれぞれ２４目が係止されたステップ４に示す状態にする。
具体的には、まず、前ベッドについて、中指３と人差指４の編目全てと二つの増し目を、後ベッドの空針に目移しし、後ベッドにおける三本胴６の薬指２側端部の編目を前ベッドの空針に目移しして、後ベッドを右方向にラッキングし、薬指２と中指３の間に形成された増し目を目移しして薬指２の端部の編目に重ね合わせ、さらに、後ベッドを右方向にラッキングして、後ベッドの空針に目移しした編目の全てを前ベッドの編針に目移し、中指３の端部の編目を薬指２の端部の編目に重ね合わせる。
次に、後ベッドについて、中指３と人差指４の編目全てと二つの増し目を、前ベッドの空針に目移しし、後ベッドを左方向にラッキングして、中指３と薬指２の間になされた増し目を中指３の端部の編目に目移しして重ね合わせ、さらに、後ベッドを左方向にラッキングして、前ベッドの空針に目移しした中指３の編目の全てを後ベッドの編針に目移し、薬指２の端部の編目に中指３の端部の編目を重ね合わせるとともに、前ベッドの空針に目移しした三本胴６の薬指２側端部の編目を後ベッドに目移しする。
さらに、後ベッドを左方向にラッキングして、前ベッドの空針に目移しした中指３と人差指４の間に形成された増し目を後ベッドの編針に目移し、中指３の端部の編目に増し目を重ね合わせるとともに、前ベッドにおける三本胴６の薬指２側端部の編目を後ベッドの空針に目移しする。
そして、後ベッドを左方向にラッキングして、前ベッドの空針に目移しした人差指４の全ての編目を後ベッドの編針に目移し、中指３の端部の編目に人差指４の端部の編目を重ね合わせる。
次に、前ベッドの編針に係止されている人差指４の全ての編目と中指３と人差指４の間に形成された増し目を後ベッドの空針に目移しし、後ベッドを右方向にラッキングして、中指３の端部の編目に増し目を重ね合わせるとともに、後ベッドの空針に目移しした三本胴６の薬指２側端部の編目を前ベッドの編針に目移しする。
そして、後ベッドを右方向にラッキングして、後ベッドの空針に目移しした人差指４の全ての編目を前ベッドの編針に目移し、中指３の端部の編目に人差指４の端部の編目を重ね合わせる。
このように４目を減らした状態で前後のベッドにおいて１コース編成し、さらに、上記と同様にして４目を減らして１コース編成し、ステップ４の状態にする。
次に、ステップ５に示すように、三本胴６と小指１の間の指股Ｃを編成する。この場合も前記と同様に、後ベッドにおける後側編地間の空いている編針と、前ベッドにおける前側編地間の空いている編針に増し目をしながら、三本胴６から小指１の順に後側編地を１コース連続編成することによりマチを有する指股Ｃが編成される。
この状態から、三本胴６と小指１が連結された１つの筒状となるように１コース１周させて編成すると、ステップ６に示す四本胴７が編成され始める。ステップ６の状態では、四本胴７は、前後各ベッドの針にそれぞれ３４目ずつ係止された状態となっている。
ステップ６の四本胴７の編成により、三本胴６と小指１の指袋とが接合された状態となる。
そして、四本胴７の編成は、ステップ６〜７の間に、三本胴６の編目を小指１側に移動させながら、三本胴６と小指１の境界で３目減らしていき、前後各ベッドの針にそれぞれ３１目ずつ係止されたステップ７に示す状態となる。
ステップ７の状態から、図４のステップ８に示すように、四本胴７の編地は、後ベッドをラッキングさせて、前後ベッドに係止される編地の端部の編目を対向するベッドに係止される編地端部の横の編針へ目移しを行って回し動作を行いながら、四本胴７の回し動作の後、四本胴７の編幅を増し目により増やして１周編成する動作を所定コース繰り返すことによりステップ９の状態にする。
なお、回し動作の方向は、親指５の指袋が掌中央に近づくように回すのであり、増し目は、親指５が接合される側の端部（ステップ９において四本胴の左端）の編目を増やしていく。
なお、図３から図４で示す手袋の編成工程は、右手用手袋の編成工程であって、右手用手袋を編成する場合は、ステップ８に示す回し動作の方向は、前側編地の親指側端部が後ベッドに回されるように左回りに回し動作を行う。
回し動作について具体的に説明すると、後ベッドを右にラッキングして四本胴７のうち、後側編地の右端の編目を前側編地の右端の編目の右側に目移しし、同時に前側編地の左端の編目を後側編地の左端の編目の左側に目移しして１目分の回し動作を行う。
続いてさらに後ベッドを右にラッキングし、後ベッド上に係止される右端のループを前ベッド上に係止される右端のループの右側の針に目移しし、同時に前ベッド上に係止される左端のループを後ベッド上に係止される左端のループの左側の針に目移しして１目分の回し動作を行う。
以上のように、上記後ベッドと前ベッドのそれぞれに係止される編地の右端と左端において１目ずつを前後ベッド間で移動させながら１目分を回す回し動作を１回として、回し動作の繰り返し回数を調整することにより、四本胴７に対する親指５の指袋の接合位置を調整することができる。
なお、本実施形態では、四本胴７の回し動作は、四本胴７の編目を１／１０周、図４のステップ８において針７本分回し動作している。
そして、四本胴７の編幅を増やす編成が行われた後に、親指５の指袋の編成を行うのであって、親指５の筒状編地と四本胴７の筒状編地が、前後のベッドにおいて編針１本を空けた状態で編成され、ステップ１０の状態となる。
次に、ステップ１１に示すように、編針に係止されている親指５の指袋の編地を回し動作するのであって、第１実施形態では、親指５の編地の編目について、各ベッドに係止される編地の端部の編目を、対向するベッドの編針へ目移しを行いながら、後ベッドをラッキングさせる動作を所定のピッチ数繰り返すことにより、回し動作を行う。
なお、親指５の指袋を編成するステップ１０に示す最終コースにおいては、回し動作を行う目数だけ、目移ししたときに捩れが解消されるように予め捻らせてループを編成する。
さらに、回し動作の方向は、親指５における四本胴７から最も離れた編目が掌側に回り込む方向に１／４周以下の範囲内で回し動作を行う。本実施形態では、１／４周、図４においては針６本分を回転させる。
なお、親指５の回し動作は、四本胴７と親指５の指袋を接合する前の状態から、親指５における四本胴７から最も離れた編目が掌側に回り込む方向に３／２０周から１／４周の範囲内で回すことが好ましい。
次に、ステップ１２に示すように、四本胴７と親指５の間の指股Ｄを編成する。指股Ｄの編成は、後ベッドにおける親指５と四本胴７の後側編地間の空いている編針と、前ベッドにおける親指５と四本胴７の前側編地間の空いている編針に増し目をするとともに、それぞれの増し目の針の両側の針はタックして、親指５から四本胴７の順に後側編地を１コース連続編成することによりマチを有する指股Ｄが編成される。
そして、ステップ１２の編成後に、ステップ１３に示すように、増し目がされた針（＊で示す位置）にその両側の編目を目移しして、増し目に２つの編目を重ね合わせるように、全ての編目を隣の針に目移しする。
目移しの後、ステップ１４に示すように、前後のベッドにわたって１コース編成し、さらに、ステップ１５に示すように、増し目がされた針にその両側の編目を目移しして、増し目に２つの編目を重ね合わせるように、全ての編目を隣の針に目移しする。そして、ステップ１６に示すように、前後のベッドにわたって１コース編成して指股Ｄの編成を終了する。ステップ１６の状態では、五本胴８は、前後各ベッドの針にそれぞれ４２目ずつ係合された状態となっている。
ステップ１２からステップ１６の五本胴８の編成により、四本胴７と親指５の指袋とが接合された状態となる。
そして、ステップ１６により、四本胴７と親指５の指袋とが接合された後に、五本胴８の編幅を減らす編成を行うのである。
五本胴８の編幅を減らす編成は、五本胴８における親指５の指袋を形成する編目とウェール方向に連続する編目に、五本胴８における四本胴７の編目とウェール方向に連続する編目を所定コース毎に重ね合わせながら五本胴８を編成していくことにより行う。
第１実施形態では、五本胴８における四本胴７の編目とウェール方向に連続する編目を、掌側の親指側端部から、五本胴８における親指５の指袋を形成する編目とウェール方向に連続する編目に、所定コース毎に重ね合わせながら五本胴８を編成して、ステップ１７の状態で五本胴８の編成が完了する。
そして、五本胴８に連続して手首部分をリブ編で編成して手袋の編成が終了する。
第１実施形態の手袋は、以上のように、四本胴７の編目を１／１０周、図４のステップ８において針７本分回し動作し、かつ、親指５の編目も１／４周、図４のステップ１１において針６本分回し動作した後に、親指５と四本胴７とを接合する編成を行っているので、図１および図２に示すように、親指５の指袋の付け根部分が五本胴８における掌中心近くに接合された形状として、実際の人の手の形状に合った三次元的な手袋の形状とすることができながら、親指５における指袋の指先先端部の編目が１／４周回された状態で五本胴８に接合された状態にすることができる。
その結果、四本胴７を回し動作した後に、四本胴７と親指５とを接合しているので、実際の人の手の形状に合った三次元的な手袋の形状とすることができ、手袋着用の際に手の甲の親指付け根部分において従来生じていた圧迫感を軽減することができ、手袋が手にフィットし易くなる。
さらに、親指５の回し動作により、人の親指の腹部分に、親指５の指袋の先端部に形成される指先カーブラインＸの両端こぶ部分Ｙが当たらなくなり、手袋装着時の違和感が無くなって作業性を向上できる。
また、四本胴７と親指５とを接合する前に、四本胴７の編幅を増やす編成をして手袋の四本胴７の幅方向寸法を広くできるので、編目が広がることなく外観を良好にでき、袋着用の際に手の甲の親指付け根部分における圧迫感をさらに良好に取り除ける。
また、四本胴７と親指５とが接合された後に、五本胴８の編幅を減らす編成をしているので、人の手の形により合った形状とすることができるし、四本胴７の編幅を増やしていても手首部分の弛みが生じない。
特に、五本胴８の編幅を減らすに当たっては、五本胴８における親指５に連続する編目と四本胴７に連続する編目との間で目を減らすように編成しているので、掌の内側に減らし目の線（図１および図２のＥで示す線）が現れても、掌の親指付け根部分に形成される谷間の線に沿った状態にでき、外観を良好にできる。
なお、五本胴８の編幅を減らす編成は、掌中央側で目を減らすのではなく、掌の親指側端部において目を減らすようにしてもよい。
さらに、第１実施形態では、親指５の指袋と四本胴７の両方で回し動作を行ったが、親指５のみで回し動作を行ったり、または、四本胴７のみで回し動作を行うようにしてもよい。
次に第２実施形態について説明する。第２実施形態は、親指５の指袋の編成および回し動作を第１実施形態と同様に行うとともに、図５に示すような親指５の四本胴７との接合位置を掌中央よりにする編成を、手袋を編成するための編成工程図（図６に示す）に基づいて以下の編成手順で行う。
なお、第２実施形態の手袋を編成するにあたっては、第１実施形態で説明した図３に示すステップ１からステップ７までは同じ編成を行うので説明を省略する。
第２実施形態は、四本胴７と親指５との間に指股Ｄを形成する前に、四本胴７の編幅を増し目により増やす。この増し目は、親指５が接合される側の端部の編目を増やしていく。
そして、四本胴７の編成が完了した後、図６に示すステップ８ａに示すように親指５の指袋の編成を行う。そして、ステップ９ａに示すように、編針に係止されている親指５の指袋の編地を回し動作するのであって、第１実施形態のステップ１１と同様にして、親指５の編地の編目について、各ベッドに係止される編地の端部の編目を、対向するベッドの編針へ目移しを行いながら、後ベッドをラッキングさせる動作を所定のピッチ数繰り返すことにより、回し動作を行う。
なお、図６に示す本実施形態では、ステップ８ａにおいて親指５の編成が行われた直後の親指５の指袋の前ベッドと後ベッドとの境界線を５１ａ，５１ｂで示し、また、四本胴７の前ベッドと後ベッドとの境界線を７１ａ，７１ｂで示しており、この親指５の境界線５１ａ，５１ｂを基準にして回し動作の回し量を決定する。
回し動作の方向は、親指５における四本胴７から遠い側の側端部の編目（境界線５１ａ）が四本胴７に近づく方向で、かつ、掌側に回りこむように１／４周以下の範囲内で回し動作を行う。本実施形態では、１／４周回転させる。
次に、ステップ１０ａに示すように、四本胴７における掌側で人差指側端部（境界線７１ａ）から所定の目数の複数の編目に、親指５の指袋の編目の一部を重ね合わせるのであって、まず、四本胴７の前ベッドに係止されている編目の全てを後ベッドに係止されている編目の間の空針に目移しするとともに、親指５の後ベッドに係止されている編目の全てを前ベッドに係止されている編目の間の空針に目移しする。
そして、親指５の編目の一部と四本胴７の編目の一部が重なるまで後ベッドのラッキング動作を行い、親指５の編目の一部と四本胴７の編目の一部が重なる部分において、四本胴７における後ベッドの空針に目移しした前側編目を親指５の編目が係止されている編針に目移しをして、重ね合わされた編目のみ（点線部分Ｄ）を伏せ目処理し、ステップ１１ａの状態にする。
このステップ１１ａの伏せ目処理により、図５に示す親指５と四本胴７との間の指股Ｄが形成される。
次に、四本胴７の後ベッドにおけるステップ１０ａで空針に目移しした編目の全てを前ベッドの編針に目移しするとともに、親指５の前ベッドにおけるステップ１０ａで空針に目移しした編目の全てを後ベッドの編針に目移ししてステップ１２ａの状態にする。
ステップ１２ａの状態から五本胴８を編成し、この五本胴８の編成により、四本胴７と親指５の指袋とが接合された状態となる。
そして、ステップ１３ａに示すように、四本胴７と親指５の指袋とが接合された後に、五本胴８の編幅を減らす編成を行うのである。
五本胴８の編幅を減らす編成は、五本胴８における親指５の指袋を形成する編目とウェール方向に連続する編目に、五本胴８における四本胴７の編目とウェール方向に連続する編目を所定コース毎に重ね合わせながら五本胴８を編成していくことにより行う。なお、五本胴８の編幅を減らす編成は、掌中央側で目を減らすのではなく、掌の親指側端部において目を減らすようにしてもよい。
五本胴８の編成の後に、五本胴８に連続して手首部分をリブ編で編成して手袋の編成が終了する。
なお、第１実施形態および第２実施形態では、四本胴７と親指５との接合前に四本胴７の編幅を増やし、四本胴７と親指５との接合後に五本胴８の編幅を減らすようにしたが、四本胴７の編幅を増やすことなく、五本胴８の編幅を減らすことなく手袋を編成するようにしてもよい。
また、五本胴８の編幅を減らす場合は、掌側の編地の編幅を減らすように編成することが好ましく、親指５と四本胴７との境部分となる箇所で目を減らすことがより好ましい。
第２実施形態においても、親指５の回し動作により、人の親指の腹部分に、親指５の指袋の先端部に形成される指先カーブラインＸの両端こぶ部分Ｙが当たらなくなり、手袋装着時の違和感が無くなって作業性を向上できる。
また、四本胴７の掌側の編地部分における人差指側端部（境界線７１ａ）に親指５が重なるように親指５と四本胴との間の指股Ｄを形成しているので、実際の人の手の形状に合った手袋の形状とすることができ、手袋着用の際に生じていた手の甲の親指付け根部分における圧迫感を軽減することができ、手袋が手にフィットし易くなる。
さらに、四本胴７と親指５とを接合する前に、四本胴７の編幅を増やす編成をして手袋の四本胴７の幅方向寸法を広くできるので、手袋着用の際に手の甲の親指付け根部分における圧迫感をさらに良好に取り除けるし、編目が広がって外観が悪くなるという不具合も解消できる。
また、四本胴７と親指５とを接合した後に、五本胴８の編幅を減らす編成をしているので、人の手の形により合った形状とすることができるし、四本胴７の編幅を増やしていても手首部分の弛みが生じない。
なお、前記した第２実施形態では、親指５の回し動作を行ったが、親指５の回し動作を行うことなく、四本胴７に対する親指５の接合位置を掌中央よりにして四本胴７と親指５とを接合するようにしてもよい。
また、前記第２実施形態も、四本胴と親指指袋の接合方法と同じ方法で親指以外の各指袋同士を接合してもよい。
次に第３実施形態について説明する。第３実施形態は、五本胴８における掌側の編地の編幅を減らしながら、五本胴８を編成して手袋を編成するのであって、五本胴８における四本胴７の編目とウェール方向に連続する編目を、掌側の親指側端部から、五本胴８における親指５の指袋を形成する編目とウェール方向に連続する編目に、所定コース毎に重ね合わせながら五本胴を編成していくようにして、図７に示すように、出来上がった手袋の親指５の四本胴７への接合位置が掌中央よりになるようにしている。
第３実施形態の手袋を編成するにあたっては、手袋を編成するための編成工程図（図８および図９に示す）に基づいて以下の編成手順で行う。なお、第１実施形態で説明した図３に示すステップ１からステップ７までは同じ編成を行うので説明を省略する。
第３実施形態は、四本胴７と親指５との間に指股Ｄを形成する前に、図８のステップ８ｂに示すように、四本胴７の編幅を増し目により増やす。この増し目は、親指５が接合される側の端部の編目を増やしていく。
そして、四本胴７の編成が完了した後、ステップ９ｂに示すように親指５の指袋の編成を行う。
次に、ステップ１０ｂに示すように、四本胴７と親指５の間の指股Ｄを編成する。指股Ｄの編成は、後ベッドにおける親指５と四本胴７の後側編地間の空いている編針と、前ベッドにおける親指５と四本胴７の前側編地間の空いている編針に増し目をするとともに、それぞれの増し目の針の両側の針でタックしながら、親指５から四本胴７の順に後側編地を１コース連続編成することによりマチを有する指股Ｄが編成される。
そして、ステップ１０ｂの編成後に、ステップ１１ｂに示すように、増し目がされた針にその両側の編目を目移しして、増し目に２つの編目を重ね合わせるように、全ての編目を隣の針に目移しする。
目移しの後、ステップ１２ｂに示すように、前後のベッドにわたって１コース編成し、さらに、ステップ１３ｂに示すように、増し目がされた針にその両側の編目を目移しして、増し目に２つの編目を重ね合わせるように、全ての編目を隣の針に目移しする。そして、ステップ１４ｂに示すように、前後のベッドにわたって１コース編成して指股Ｄの編成を終了する。
ステップ１０ｂからステップ１４ｂに示す五本胴８の編成により、四本胴７と親指５の指袋とが接合された状態となる。
そして、ステップ１４ｂにより、四本胴７と親指５の指袋とが接合された後に、五本胴８の編幅を減らす編成を行うことにより、親指５の指袋の四本胴７との接合位置を掌中央近くとしながら親指５の指袋の向きを回転させていくのである。
五本胴８の編幅を減らす編成は、ステップ１５ｂからステップ１８ｂに示すように、五本胴８における親指５の指袋を形成する編目とウェール方向に連続する編目を、五本胴８における四本胴７の編目とウェール方向に連続する編目における掌側の親指側端部の編目に、所定コース毎に重ね合わせながら五本胴８を編成していく。
具体的には、ステップ１５ｂに示すように、五本胴８における親指５の指袋を形成する編目とウェール方向に連続する編目のうち、前ベッドに係止される編目の全てを後ベッドの空針に目移しし、後ベッドを右側にラッキングさせて、後ベッドにおける空針に目移しした編目の全てを前ベッドの編針に目移しすることにより、親指５側の編目が四本胴７側の編目に重ね合わされ、ステップ１６ｂの状態になる。このステップ１６ｂの状態で前後のベッドで１コース編成する。
次に、ステップ１７ｂに示すように、五本胴８における親指５の指袋を形成する編目とウェール方向に連続する編目のうち、前ベッドに係止される編目の全てを後ベッドの空針に目移しし、後ベッドを右側にラッキングさせて、後ベッドにおける空針に目移しした編目の全てと後ベッドの編針に係止されている親指側端部の編目を前ベッドに目移しすることにより、親指５側の編目が四本胴７側の編目に重ね合わされ、ステップ１８ｂの状態になる。
そして、ステップ１７ｂからステップ１８ｂの動作を所定コース繰り返してステップ１９ｂの五本胴８の編成完了状態になり、五本胴８に連続して手首部分をリブ編で編成して手袋の編成が終了する。
なお、ステップ１７ｂ以降においては、目移しする前の後ベッドの編針に係止されている親指側端部の編目は、目移しする前において１コース編成する際に、目移しにより捻られる方向と反対の方向に捻られるようにループが形成されるように編成しておく。
第３実施形態では、五本胴８の編成が完了すると、図７に示すように、親指５の指袋と四本胴７との接合部分が掌中央に向けて送り込まれた状態となり、親指５の指袋における先端部分の編出し引き返し部分が掌側に回された状態となる。
なお、図７では、実線で示す親指５の状態は、親指５の指袋を広げた状態を示し、二点破線で示す親指５の状態は、親指５指袋を掌側に折り曲げた状態を示す。
第３実施形態では、五本胴８を掌側の編幅を減らす編成を行うことにより、四本胴７の掌側の編地部分における親指側内方に親指５が接合されるように手袋を編成できるので、実際の人の手の形状に合った手袋の形状とすることができ、手袋着用の際に生じていた手の甲の親指付け根部分における圧迫感を軽減でき、手袋が手にフィットし易くなる。
また、五本胴８を掌側の編幅を減らす編成を行うことにより、親指５の回し動作が行え、人の親指の腹部分に親指５の指袋の指先カーブラインが当たらなくなり、手袋装着時の違和感が無くなって作業性を向上できる。
さらに、四本胴７と親指５とを接合する前に、四本胴７の編幅を増やす編成をして手袋の四本胴７の幅方向寸法を広くできるので、手袋着用の際に手の甲の親指付け根部分における圧迫感をさらに良好に軽減できるし、編目が広がって外観が悪くなるという不具合も解消できる。
また、四本胴７と親指５とを接合した後に、五本胴８の編幅を減らす編成をしているので、人の手の形により合った形状とすることができるし、四本胴７の編幅を増やしていても手首部分の弛みが生じない。
特に、五本胴８の編幅を減らすに当たっては、五本胴８における親指５に連続する編目と四本胴７に連続する編目との間で目を減らすように編成しているので、掌の内側に減らし目の線が現れても、掌の親指付け根部分に形成される谷間の線に沿った状態にできるので、外観を良好にできる。
なお、前記した各実施形態は、作業用手袋について説明したが、本発明の手袋およびその編成方法は、ファッション用の手袋にも適用でき、さらに、５本指の手袋だけでなく、いわゆるミトンタイプの手袋や、指先がカットされた指切タイプの手袋についても適用できる。また、前記した実施形態では、編地の編成を平編で行ったが、本発明は、リブ編や組織編などの他の編み方でも適用できる。
さらに、前記した実施形態では、人差指と中指の間、中指と薬指の間、薬指と小指の間の指股部の編成を図３のステップ２に示す編成方法で行い、親指と四本胴との間の指股部の編成を図４のステップ１２に示す編成方法で行ったが、手袋を編成する際の各指股部の編成は、前記した実施形態に限らず、指股部のマチを小さくとりたい場合は、図３に示すステップ２に示す編成方法で指股部を編成し、指股部のマチを大きくとりたい場合には、図４のステップ１２に示す編成方法で指股部を編成することができる。
【図１】
2004020719.tif 000003
【図２】
2004020719.tif 000004
【図３】
2004020719.tif 000005
【図４】
2004020719.tif 000006
【図５】
2004020719.tif 000007
【図６】
2004020719.tif 000008
【図７】
2004020719.tif 000009
【図８】
2004020719.tif 000010
【図９】
2004020719.tif 000011
【図１０】
2004020719.tif 000012
【国際調査報告】
2004020719.tif 000013
2004020719.tif 000014
2004020719.tif 000015
2004020719.tif 000016